(57)【要約】コアノードへ送信されるメッセージもしくはデータを低減させることができるコアノードを提供することを目的とする。本発明にかかるコアノード（１０）は、自装置の輻輳状態を検出する輻輳状態検出部（１１）と、無線端末（２０）からＡＰＮを指定したＮＡＳ要求メッセージを受信する通信部（１３）と、自装置の輻輳状態が検出されている間、ＮＡＳ要求メッセージに関する処理を実行しないこと決定する制御部（１２）と、を備える。通信部（１３）は、制御部（１２）においてＮＡＳ要求メッセージに関する処理を実行しないと決定された場合、無線端末（２０）が指定可能な複数のＡＰＮを設定した拒絶メッセージを無線端末（２０）へ送信する。
2017149574.tif 000002
【特許請求の範囲】
【請求項１】
自装置の輻輳状態を検出する輻輳状態検出手段と、
無線端末からＡＰＮ（Access Point Name）を指定したＮＡＳ（Non-Access Stratum）要求メッセージを受信する通信手段と、
自装置の輻輳状態が検出されている間、前記ＮＡＳ要求メッセージに関する処理を実行しないこと決定する制御手段と、を備え、
前記通信手段は、
前記制御手段において前記ＮＡＳ要求メッセージに関する処理を実行しないと決定された場合、前記無線端末が指定可能な複数のＡＰＮを含む拒絶メッセージを前記無線端末へ送信する、コアノード。
【請求項２】
前記通信手段は、
前記無線端末の識別情報を用いて、前記無線端末の加入者情報を管理するＨＳＳ（Home Subscriber Server）から前記無線端末が指定可能なすべてのＡＰＮに関する情報を取得する、請求項１に記載のコアノード。
【請求項３】
前記通信手段は、
前記無線端末が指定可能なすべてのＡＰＮを前記拒絶メッセージに設定する、請求項１または２に記載のコアノード。
【請求項４】
前記通信手段は、
前記輻輳状態検出手段において自装置が輻輳状態から復旧したことが検出された場合、前記無線端末がＮＡＳ要求メッセージを送信することを許可することを示す復旧メッセージを前記無線端末へ送信する、請求項１乃至３のいずれか１項に記載のコアノード。
【請求項５】
前記通信手段は、
前記無線端末が指定することを許可する少なくとも１つのＡＰＮを前記復旧メッセージに設定する、請求項４に記載のコアノード。
【請求項６】
ゲートウェイの輻輳状態を検出する輻輳状態検出手段と、
前記ゲートウェイの輻輳状態が検出されている間、前記ゲートウェイにおいて指定された無線端末に関するＮＡＳ要求メッセージに関する処理を実行しないことを決定する制御手段と、
前記制御手段において前記無線端末に関する前記ＮＡＳ要求メッセージに関する処理を実行しないと決定された場合、前記無線端末が指定可能な複数のＡＰＮを含む拒絶メッセージを前記無線端末へ送信する通信手段と、を備えるコアノード。
【請求項７】
前記通信手段は、
前記ゲートウェイにおいて指定された無線端末の識別情報を用いて、前記無線端末の加入者情報を管理するＨＳＳから前記無線端末が指定可能なすべてのＡＰＮに関する情報を取得する、請求項６に記載のコアノード。
【請求項８】
前記通信手段は、
前記無線端末が指定可能なすべてのＡＰＮを前記拒絶メッセージに設定する、請求項６または７に記載のコアノード。
【請求項９】
前記通信手段は、
前記輻輳状態検出手段において前記ゲートウェイが輻輳状態から復旧したことが検出された場合、前記無線端末がＮＡＳ要求メッセージを送信することを許可することを示す復旧メッセージを前記無線端末へ送信する、請求項６乃至８のいずれか１項に記載のコアノード。
【請求項１０】
前記通信手段は、
前記無線端末が指定することを許可する少なくとも１つのＡＰＮを前記復旧メッセージに設定する、請求項９に記載のコアノード。
【請求項１１】
ＮＡＳ要求メッセージに関する処理を拒絶することを示す拒絶メッセージを受信する通信手段と、
前記拒絶メッセージには自装置において指定可能な複数のＡＰＮが含まれ、前記拒絶メッセージを受信すると、コアノードから送信された特定のメッセージを受信するまで、前記拒絶メッセージに設定された複数のＡＰＮを指定したＮＡＳ要求メッセージの送信を停止する制御手段と、を備える無線端末。
【請求項１２】
前記拒絶メッセージは、
前記コアノードへ送信したＮＡＳ要求メッセージに関する処理を拒絶することを示し、前記コアノードへ送信したＮＡＳ要求メッセージにおいて指定したＡＰＮを含む複数のＡＰＮが設定される、請求項１１に記載の無線端末。
【請求項１３】
自装置の輻輳状態を検出し、
無線端末からＡＰＮを指定したＮＡＳ要求メッセージを受信し、
自装置の輻輳状態が検出されている間、前記ＮＡＳ要求メッセージに関する処理を実行しないこと決定し、
前記ＮＡＳ要求メッセージに関する処理を実行しないと決定された場合、前記無線端末が指定可能な複数のＡＰＮを含む拒絶メッセージを前記無線端末へ送信する、通信方法。
【請求項１４】
ゲートウェイの輻輳状態を検出し、
前記ゲートウェイの輻輳状態が検出されている間、前記ゲートウェイにおいて指定された無線端末に関するＮＡＳ要求メッセージに関する処理を実行しないことを決定し、
前記無線端末に関する前記ＮＡＳ要求メッセージに関する処理を実行しないと決定された場合、前記無線端末が指定可能な複数のＡＰＮを含む拒絶メッセージを前記無線端末へ送信する、通信方法。
【請求項１５】
自装置の輻輳状態を検出し、
無線端末からＡＰＮを指定したＮＡＳ要求メッセージを受信し、
自装置の輻輳状態が検出されている間、前記ＮＡＳ要求メッセージに関する処理を実行しないこと決定し、
前記ＮＡＳ要求メッセージに関する処理を実行しないと決定された場合、前記無線端末が指定可能な複数のＡＰＮを含む拒絶メッセージを前記無線端末へ送信することをコンピュータに実行させるプログラムが格納された非一時的なコンピュータ可読媒体。
【請求項１６】
ゲートウェイの輻輳状態を検出し、
前記ゲートウェイの輻輳状態が検出されている間、前記ゲートウェイにおいて指定された無線端末に関するＮＡＳ要求メッセージに関する処理を実行しないことを決定し、
前記無線端末に関する前記ＮＡＳ要求メッセージに関する処理を実行しないと決定された場合、前記無線端末が指定可能な複数のＡＰＮを含む拒絶メッセージを前記無線端末へ送信することをコンピュータに実行させるプログラムが格納された非一時的なコンピュータ可読媒体。
【発明の詳細な説明】
【技術分野】
【０００１】
本発明はコアノード、無線端末、通信方法、及び、プログラムに関し、特に輻輳制御を実行するコアノード、無線端末、通信方法、及び、プログラムに関する。
【背景技術】
【０００２】
移動通信システムは、無線端末、無線アクセスネットワーク（Radio Access Network: RAN）、及び、モバイルコアネットワークを有する。また、モバイルコアネットワークは、ユーザプレーンデータを中継する中継ノード、及び、コントロールプレーンデータを中継する制御ノードを有する。中継ノードは、例えば、ＳＧＷ（Serving Gateway）及びＰＧＷ（Packet data network Gateway）等である。制御ノードは、例えば、ＭＭＥ（Mobility Management Entity）等である。制御ノードは、例えば、モビリティ管理（Mobility Management： MM）及びセッション管理（Session Management： SM）等を実行する。中継ノード及び制御ノードは、コアノードと称されてもよい。【０００３】
制御ノードは、モビリティ管理及びセッション管理を実行するために、無線端末へ、ＮＡＳ（Non-Access Stratum）メッセージを送信する。さらに、制御ノードは、無線端末から送信されるＮＡＳメッセージを受信する。ＮＡＳメッセージは、ＲＡＮにおいては終端されず、ＲＡＮの無線アクセス方式に依存することなく、無線端末とＭＭＥとの間において透過的に伝送される制御メッセージである。非特許文献１には、ＮＡＳメッセージに関する詳細な説明が記載されている。【０００４】
また、非特許文献１には、モバイルコアネットワーク内の過負荷もしくは輻輳を抑制するための輻輳制御に関する技術が開示されている。例えば、ＭＭＥは、自装置が輻輳状態である場合、無線端末からセッション管理もしくはモビリティ管理に関するＮＡＳメッセージを受信すると、受信したＮＡＳメッセージに関する処理を拒絶する。この時、ＭＭＥは、バックオフタイマ値を指定した拒絶メッセージを無線端末へ送信する。【０００５】
無線端末は、ＭＭＥにおいて指定されたバックオフタイマ値が満了するまで、ＮＡＳメッセージをＭＭＥへ送信しない。このようにして、ＭＭＥは、輻輳状態における処理負荷を低減する。
【先行技術文献】
【非特許文献】
【０００６】
【非特許文献１】3GPP TS23.401 V13.5.0 (2015-12)
【発明の概要】
【発明が解決しようとする課題】
【０００７】
しかし、非特許文献１に記載されている輻輳制御は、次に説明する問題を有する。無線端末は、ＮＡＳメッセージを送信する場合に、ＡＰＮ（Access Point Name）を指定する。ＡＰＮは、ＥＰＣ（Evolved Packet Core）において用いられる外部ネットワークの識別子である。言い換えると、ＡＰＮは、無線端末が利用するサービスを提供する外部ネットワークの識別子である。無線端末は、拒絶されたＮＡＳメッセージに指定したＡＰＮと同じＡＰＮを指定したＮＡＳメッセージについては、バックオフタイマが満了した後にＭＭＥへ送信する。しかし、無線端末は、拒絶されたＮＡＳメッセージに指定したＡＰＮと異なるＡＰＮを指定したＮＡＳメッセージについては、バックオフタイマが満了する前にＭＭＥへ送信することができる。そのため、ＭＭＥは、処理を拒絶したＮＡＳメッセージに指定されたＡＰＮと異なるＡＰＮを指定したＮＡＳメッセージの送信を抑制することができない。これより、輻輳状態のＭＭＥに対して、ＮＡＳメッセージが送信されることとなり、ＭＭＥの処理負荷を低減させることができない。【０００８】
本発明の目的は、コアノードへ送信されるメッセージもしくはデータを低減させることができるコアノード、無線端末、通信方法、及び、プログラムを提供することにある。
【課題を解決するための手段】
【０００９】
本発明の第１の態様にかかるコアノードは、自装置の輻輳状態を検出する輻輳状態検出部と、無線端末からＡＰＮを指定したＮＡＳ要求メッセージを受信する通信部と、自装置の輻輳状態が検出されている間、前記ＮＡＳ要求メッセージに関する処理を実行しないこと決定する制御部と、を備え、前記通信部は、前記制御部において前記ＮＡＳ要求メッセージに関する処理を実行しないと決定された場合、前記無線端末が指定可能な複数のＡＰＮを含む拒絶メッセージを前記無線端末へ送信するものである。【００１０】
本発明の第２の態様にかかる無線端末は、ＮＡＳ要求メッセージに関する処理を拒絶することを示す拒絶メッセージを受信する通信部と、前記拒絶メッセージには自装置において指定可能な複数のＡＰＮが含まれ、前記拒絶メッセージを受信すると、コアノードから送信された特定のメッセージを受信するまで、前記拒絶メッセージに設定された複数のＡＰＮを指定したＮＡＳ要求メッセージの送信を停止するものである。【００１１】
本発明の第３の態様にかかる通信方法は、自装置の輻輳状態を検出し、無線端末からＡＰＮを指定したＮＡＳ要求メッセージを受信し、自装置の輻輳状態が検出されている間、前記ＮＡＳ要求メッセージに関する処理を実行しないこと決定し、前記ＮＡＳ要求メッセージに関する処理を実行しないと決定された場合、前記無線端末が指定可能な複数のＡＰＮを含む拒絶メッセージを前記無線端末へ送信するものである。【００１２】
本発明の第４の態様にかかるプログラムは、自装置の輻輳状態を検出し、無線端末からＡＰＮを指定したＮＡＳ要求メッセージを受信し、自装置の輻輳状態が検出されている間、前記ＮＡＳ要求メッセージに関する処理を実行しないこと決定し、前記ＮＡＳ要求メッセージに関する処理を実行しないと決定された場合、前記無線端末が指定可能な複数のＡＰＮを含む拒絶メッセージを前記無線端末へ送信することをコンピュータに実行させるものである。
【発明の効果】
【００１３】
本発明により、コアノードへ送信されるメッセージもしくはデータを低減させることができるコアノード、無線端末、通信方法、及び、プログラムを提供することができる。
【図面の簡単な説明】
【００１４】
【図１】実施の形態１にかかるコアノードの構成図である。
【図２】実施の形態２にかかる通信システムの構成図である。
【図３】実施の形態２にかかるＭＭＥが拒絶メッセージを送信する処理の流れを説明する図である。
【図４】実施の形態２にかかるＭＭＥが輻輳状態から復旧した場合の処理の流れを説明する図である。
【図５】実施の形態２にかかるＵＥの構成図である。
【図６】実施の形態２にかかるＵＥにおけるＮＡＳ要求メッセージの送信を停止する処理及びＮＡＳ要求メッセージの送信を再開する処理の流れを説明する図である。
【図７】実施の形態２にかかる輻輳時の処理の流れを説明する図である。
【図８】実施の形態３にかかるＭＭＥにおけるＰＤＮコネクション解放処理の流れを説明する図である。
【図９】実施の形態３にかかるＰＧＷが輻輳状態から復旧した場合の処理の流れの図である。
【図１０】実施の形態３にかかる輻輳時の処理の流れを説明する図である。
【図１１】それぞれの実施の形態にかかるＵＥ４０の構成図である。
【図１２】それぞれの実施の形態にかかるコアノード１０の構成図である。
【発明を実施するための形態】
【００１５】
（実施の形態１）
以下、図面を参照して本発明の実施の形態について説明する。図１は、本発明の実施の形態１にかかるコアノード１０の構成例を示している。コアノード１０は、モバイルコアネットワーク内に配置されるノードであり、制御ノードもしくは中継ノードであってもよい。コアノード１０は、プロセッサがメモリに格納されたプログラムを実行することによって動作するコンピュータ装置であってもよい。コアノード１０は、ネットワーク３０を介して無線端末２０と通信を行う。
【００１６】
ネットワーク３０は、例えば、ＲＡＮであってもよい。無線端末２０は、例えば、携帯電話端末、スマートフォン端末、タブレット型端末、もしくは、通信機能を有するＭ２Ｍ（Machine to Machine）端末等であってもよい。Ｍ２Ｍ端末は、例えば、ＭＴＣ（Machine Type Communication）と言い換えられてもよい。
【００１７】
コアノード１０は、輻輳状態検出部１１、制御部１２、及び、通信部１３を有する。輻輳状態検出部１１、制御部１２、及び、通信部１３は、プロセッサがメモリに格納されたプログラムを実行することによって処理が実行されるソフトウェアもしくはモジュール等によって構成されてもよい。または、輻輳状態検出部１１、制御部１２、及び、通信部１３は、回路もしくはチップ等のハードウェアによって構成されてもよい。
【００１８】
輻輳状態検出部１１は、コアノード１０の輻輳状態を検出する。コアノード１０の輻輳状態とは、コアノード１０の処理負荷が高い状態であってもよい。処理負荷が高い状態は、例えば、コアノード１０のプロセッサの使用率もしくはメモリ使用率等が、予め定められた閾値よりも高い状態であってもよい。もしくは、輻輳状態は、コアノード１０において送信もしくは受信するメッセージ数が予め定められた閾値よりも多い状態であってもよい。もしくは、輻輳状態は、コアノード１０が管理もしくは制御する無線端末２０の数が予め定められた閾値よりも多い状態であってもよい。
【００１９】
通信部１３は、無線端末２０からＡＰＮを指定したＮＡＳ要求メッセージを受信する。ＮＡＳ要求メッセージは、Ａｔｔａｃｈ要求、セッション（ベアラ）要求、もしくは位置更新要求において用いられるＮＡＳメッセージである。位置更新は、例えば、ＴＡＵ（Tracking Area Update）もしくはＲＡＵ（Routing Area Update）であってもよい。
【００２０】
制御部１２は、コアノード１０の輻輳状態が検出されている間、通信部１３において受信されたＮＡＳ要求メッセージに関する処理を実行しないことを決定する。制御部１２がＮＡＳ要求メッセージに関する処理を実行しないとは、制御部１２がＮＡＳ要求メッセージに関する処理を拒絶すると言い換えられてもよい。または、制御部１２は、ＮＡＳ要求メッセージに関する処理を実行しないことを決定すると、ＮＡＳ要求メッセージに関する処理を実行する前に、ＮＡＳ要求メッセージを破棄もしくは廃棄してもよい。
【００２１】
通信部１３は、制御部１２においてＮＡＳ要求メッセージに関する処理を実行しないと決定された場合、無線端末２０が指定可能な複数のＡＰＮを含む拒絶メッセージを無線端末２０へ送信する。無線端末２０が指定可能な複数のＡＰＮは、処理を実行しないと決定されたＮＡＳ要求メッセージに含まれるＡＰＮを含む。
【００２２】
通信部１３もしくは制御部１２は、例えば、制御部１２がＮＡＳ要求メッセージに関する処理を実行しないと決定した後に、無線端末２０が指定可能な複数のＡＰＮに関する情報を、加入者情報を管理するＨＳＳ（Home Subscriber Server）から取得してもよい。または、通信部１３もしくは制御部１２は、制御部１２がＮＡＳ要求メッセージに関する処理を実行しないと決定する前に、無線端末２０が指定可能な複数のＡＰＮに関する情報を、加入者情報を管理するＨＳＳから予め取得してもよい。
【００２３】
拒絶メッセージは、無線端末２０へ、ＮＡＳ要求メッセージに関する処理を実行しないことを通知するために用いられる。具体的には、無線端末２０は、拒絶メッセージを受信すると、拒絶メッセージに含まれるＡＰＮを指定したＮＡＳ要求メッセージをコアノード１０へ送信しない。また、無線端末２０は、コアノード１０から送信された特定のメッセージを受信するまで、ＮＡＳ要求メッセージをコアノード１０へ送信しない。言い換えると、無線端末２０は、コアノード１０から送信された特定のメッセージを受信した後に、ＮＡＳ要求メッセージをコアノード１０へ送信する。
【００２４】
また、拒絶メッセージには、無線端末２０がＮＡＳ要求メッセージを送信することができない期間を示すバックオフタイマ値が設定されることがある。しかし、無線端末２０は、バックオフタイマが満了した後であっても、コアノード１０から送信された特定のメッセージを受信していない場合、ＮＡＳ要求メッセージをコアノード１０へ送信しない。
【００２５】
以上説明したように、本発明の実施の形態１にかかるコアノード１０は、輻輳状態が継続している間、無線端末２０から送信されるＮＡＳ要求メッセージに関する処理を実行しないことを決定することができる。さらに、コアノード１０は、無線端末２０から送信されたＮＡＳ要求メッセージに指定されたＡＰＮのみならず、無線端末２０が指定可能な複数のＡＰＮ情報を含む拒絶メッセージを無線端末２０へ送信することができる。
【００２６】
拒絶メッセージを受信した無線端末２０は、拒絶メッセージに含まれるＡＰＮを指定したＮＡＳ要求メッセージをコアノード１０へ送信しない。これより、コアノード１０は、無線端末２０から送信されるＮＡＳ要求メッセージの数を減少させることができるため、自装置の処理負荷の上昇を抑えることができる。
【００２７】
（実施の形態２）
続いて、図２を用いて本発明の実施の形態２にかかる通信システムの構成例について説明する。図２の通信システムは、３ＧＰＰにおいて規定された通信システムの構成例を示しており、ＵＥ（User Equipment）４０、ｅＮＢ５０、ＭＭＥ６０、ＳＧＷ７０、ＰＧＷ８０、ＨＳＳ（Home Subscriber Server）９０、及び外部ネットワーク１００を有している。ＵＥ４０は、３ＧＰＰにおいて無線端末の総称として用いられる。ＵＥ４０は、図１の無線端末２０に相当する。ＵＥ４０は、例えば、ＭＴＣデバイス等であってもよい。ｅＮＢ５０は、無線アクセス方式として３ＧＰＰにおいて規定されているＬＴＥ（Long Term Evolution）をサポートする基地局である。ｅＮＢ５０は、ＲＡＮに配置される。
【００２８】
ＭＭＥ６０、ＳＧＷ７０、及びＰＧＷ８０は、図１のコアノード１０に相当する。ＭＭＥ６０とｅＮＢ５０との間のリファレンスポイントとして、Ｓ１−ＭＭＥが規定されている。ｅＮＢ５０とＳＧＷ７０との間のリファレンスポイントとして、Ｓ１−Ｕが規定されている。ＳＧＷ７０とＰＧＷ８０との間のリファレンスポイントとして、Ｓ５が規定されている。
【００２９】
ＨＳＳ９０は、ＵＥ４０を含む複数のＵＥに関する加入者データを管理する。例えば、ＨＳＳ９０は、それぞれのＵＥが指定可能な複数のＡＰＮ情報を管理する。ＨＳＳ９０とＭＭＥ６０との間のリファレンスポイントとして、Ｓ６ａが規定されている。
【００３０】
外部ネットワーク１００は、モバイルコアネットワークとは異なるネットワークである。外部ネットワーク１００は、いわゆるインターネットであってもよく、パケットデータネットワーク（Packet Data Network: PDN）であってもよい。また、外部ネットワークは、例えば、ＵＥ４０へ通信サービスを提供する事業者等が管理するネットワークであってもよい。通信サービスは、例えば、アプリケーションサービス、クラウドサービス、もしくは、インターネットサービス等と称されてもよい。通信サービスを提供する事業者は、例えば、ＩＳＰ（Internet Service Provider）もしくはＡＳＰ（Application Service Provider）等であってもよい。
【００３１】
外部ネットワーク１００を識別する情報としてＡＰＮが用いられる。つまり、ＵＥ４０は、外部ネットワーク１００を示すＡＰＮを指定することによって、外部ネットワーク１００に配置される通信装置と通信を行うことができる。言い換えると、ＵＥ４０は、外部ネットワーク１００を示すＡＰＮを指定することによって、外部ネットワーク１００が提供するサービスを受けることができる。
【００３２】
続いて、図３を用いて本発明の実施の形態２にかかるＭＭＥ６０が拒絶（REJECT）メッセージを送信する処理の流れについて説明する。ここで、ＭＭＥ６０は、図１のコアノード１０と同様の構成を有する。
【００３３】
はじめに、輻輳状態検出部１１は、ＭＭＥ６０における輻輳状態を検出する（Ｓ１１）。例えば、ＭＭＥ６０は、輻輳制御として、特定のＡＰＮによらない過負荷状態において実行されるＮＡＳレベルのモビリティ管理輻輳制御を実行してもよい。具体的には、制御部１２は、輻輳状態が継続している間、セッション管理もしくはモビリティ管理に関するＮＡＳ要求メッセージを拒絶する。言い換えると、制御部１２は、輻輳状態が継続している間、ＮＡＳ要求メッセージに関する処理を実行しない。
【００３４】
次に、通信部１３は、輻輳状態が継続している間にＵＥ４０から送信されたＮＡＳ要求メッセージを受信すると、ＨＳＳ９０からＵＥ４０に関する加入者データを取得する（Ｓ１２）。ＵＥ４０に関する加入者データは、ＵＥ４０が指定可能な複数のＡＰＮを含む。または、ＵＥ４０に関する加入者データは、ＵＥ４０が指定可能な全てのＡＰＮを含んでもよい。
【００３５】
次に、通信部１３は、ＮＡＳ要求メッセージにおいて指定されたＡＰＮを含む複数のＡＰＮを設定したＲＥＪＥＣＴメッセージをＵＥ４０へ送信する（Ｓ１３）。通信部１３は、ＨＳＳから取得した加入者データに設定された全てのＡＰＮをＲＥＪＥＣＴメッセージに設定してもよく、加入者データに設定された複数のＡＰＮのうち、ＵＥ４０が指定することを拒絶する２以上のＡＰＮをＲＥＪＥＣＴメッセージに設定してもよい。通信部１３は、ＲＥＪＥＣＴメッセージに設定したＡＰＮを指定したＮＡＳ要求メッセージの送信を停止させるために、ＲＥＪＥＣＴメッセージをＵＥ４０へ送信する。
【００３６】
続いて、図４を用いて本発明の実施の形態２にかかるＭＭＥ６０が輻輳状態から復旧した場合の処理の流れについて説明する。はじめに、輻輳状態検出部１１は、コアノード１０が輻輳状態から復旧したことを検出する（Ｓ２１）。例えば、輻輳状態検出部１１は、処理すべきＮＡＳ要求メッセージの数が予め定められた閾値を下回った場合に、コアノード１０が輻輳状態から復旧したと判定してもよい。もしくは、輻輳状態検出部１１は、コアノード１０のプロセッサもしくはメモリの使用率が予め定められた閾値を下回った場合に、コアノード１０が輻輳状態から復旧したと判定してもよい。
【００３７】
次に、通信部１３は、ＲＥＪＥＣＴメッセージにおいて設定した複数のＡＰＮを設定したＲＥＣＯＶＥＲＹメッセージをＵＥ４０へ送信する（Ｓ２２）。通信部１３は、ＲＥＣＯＶＥＲＹメッセージに設定したＡＰＮを指定したＮＡＳ要求メッセージの送信を許可するために、ＲＥＣＯＶＥＲＹメッセージをＵＥ４０へ送信する。
【００３８】
通信部１３は、ＲＥＪＥＣＴメッセージにおいて設定した全てのＡＰＮをＲＥＣＯＶＥＲＹメッセージに設定してもよく、ＲＥＪＥＣＴメッセージにおいて設定したＡＰＮのうち一部のＡＰＮをＲＥＣＯＶＥＲＹメッセージに設定してもよい。
【００３９】
例えば、プロセッサもしくはメモリの使用率等に応じて、輻輳状態が段階的に復旧する場合がある。このような場合、通信部１３は、輻輳状態からの段階的な復旧に応じて、ＲＥＣＯＶＥＲＹメッセージをＵＥ４０へ送信してもよい。例えば、通信部１３は、輻輳状態から１０％回復した場合、３０％回復した場合、５０％回復した場合、１００％回復した場合のそれぞれの段階において、ＲＥＣＯＶＥＲＹメッセージを送信してもよい。また、通信部１３は、輻輳状態からの段階的な復旧に応じて送信するＲＥＣＯＶＥＲＹメッセージに、ＲＥＪＥＣＴメッセージにおいて設定したＡＰＮのうち一部のＡＰＮを設定してもよい。つまり、通信部１３は、ＲＥＪＥＣＴメッセージにおいて設定された全てのＡＰＮを、複数のＲＥＣＯＶＥＲＹメッセージに分割して設定してもよい。
【００４０】
続いて、図５を用いて本発明の実施の形態２にかかるＵＥ４０の構成例について説明する。ＵＥ４０は、制御部４１及び通信部４２を有している。制御部４１及び通信部４２は、プロセッサがメモリに格納されたプログラムを実行することによって処理が実行させるソフトウェアもしくはモジュール等であってもよい。または、制御部４１及び通信部４２は、回路もしくはチップ等のハードウェアであってもよい。
【００４１】
通信部４２は、ｅＮＢ５０を介してＭＭＥ６０へＮＡＳ要求メッセージを送信する。ｅＮＢ５０は、ＮＡＳ要求メッセージを終端することなく、ＮＡＳ要求メッセージをＭＭＥ６０へ転送する。また、通信部４２は、ｅＮＢ５０を介してＭＭＥ６０から送信されたＲＥＪＥＣＴメッセージを受信する。
【００４２】
制御部４１は、ＡＰＮを指定したＮＡＳ要求メッセージを生成する。制御部４１は、生成したＮＡＳ要求メッセージを通信部４２へ出力する。さらに、制御部４１は、ＲＥＪＥＣＴメッセージに設定されたＡＰＮを指定したＮＡＳ要求メッセージの生成を停止する。もしくは、制御部４１は、通信部４２において、ＲＥＪＥＣＴメッセージに設定されたＡＰＮを指定したＮＡＳ要求メッセージの送信を停止させる。
【００４３】
制御部４１は、ＭＭＥ６０から送信されるＲＥＣＯＶＥＲＹメッセージを受信するまで、ＲＥＪＥＣＴメッセージに設定されたＡＰＮを指定したＮＡＳ要求メッセージの生成を停止してもよい。
【００４４】
続いて、図６を用いて本発明の実施の形態２にかかるＵＥ４０におけるＮＡＳ要求メッセージの送信を停止する処理及びＮＡＳ要求メッセージの送信を再開する処理の流れについて説明する。
【００４５】
はじめに、通信部４２は、無線通信回線を介してｅＮＢ５０へＮＡＳ要求メッセージを送信する（Ｓ３１）。通信部４２は、利用するサービスに関連付けられたＡＰＮをＮＡＳ要求メッセージに設定する。次に、通信部４２は、ＭＭＥ６０から、ｅＮＢ５０を介してＲＥＪＥＣＴメッセージを受信する（Ｓ３２）。ＲＥＪＥＣＴメッセージには、使用することが禁止された複数のＡＰＮが設定されている。ＲＥＪＥＣＴメッセージに設定されている複数のＡＰＮには、ステップＳ３１において送信したＮＡＳ要求メッセージに設定したＡＰＮも含まれる。
【００４６】
次に、制御部４１は、ＲＥＪＥＣＴメッセージに設定された複数のＡＰＮを指定したＮＡＳ要求メッセージの生成を停止する（Ｓ３３）。もしくは、制御部４１は、通信部４２において、ＲＥＪＥＣＴメッセージに設定された複数のＡＰＮを指定したＮＡＳ要求メッセージの送信を停止させる。
【００４７】
次に、通信部４２は、ＭＭＥ６０から、ｅＮＢ５０を介してＲＥＣＯＶＥＲＹメッセージを受信する（Ｓ３４）。ＲＥＣＯＶＥＲＹメッセージには、使用することが可能な複数のＡＰＮが設定されている。ＲＥＣＯＶＥＲＹメッセージに設定されるＡＰＮは、ＲＥＪＥＣＴメッセージに設定された全てのＡＰＮであってもよく、ＲＥＪＥＣＴメッセージに設定された複数のＡＰＮのうち一部のＡＰＮであってもよい。
【００４８】
次に、通信部４２は、使用することが可能な複数のＡＰＮの中から選択した１つのＡＰＮを設定したＮＡＳ要求メッセージの送信を再開する（Ｓ３５）。通信部４２は、ステップＳ３１において送信したＮＡＳ要求メッセージを再度ｅＮＢ５０へ送信してもよい。もしくは、ステップＳ３１において送信したＮＡＳ要求メッセージに設定したＡＰＮと異なるＡＰＮを設定したＮＡＳ要求メッセージをｅＮＢ５０へ送信してもよい。
【００４９】
ステップＳ３２において通信部４２が受信したＲＥＪＥＣＴメッセージには、バックオフタイマの値が設定されていることがある。制御部４１は、ステップＳ３４においてＲＥＣＯＶＥＲＹメッセージを受信する前にバックオフタイマが満了した場合であっても、ＮＡＳ要求メッセージの送信を再開しない。
【００５０】
続いて、図７を用いて本発明の実施の形態２にかかるＵＥ４０、ＭＭＥ６０、及び、ＨＳＳ９０における、輻輳時の処理の流れについて説明する。はじめに、ＭＭＥ６０は、輻輳状態を検出する（Ｓ４１）。次に、ＵＥ４０は、ｅＮＢ５０を介してＭＭＥ６０へＮＡＳ要求メッセージを送信する（Ｓ４２）。ＮＡＳ要求メッセージには、ＵＥ４０が利用するサービスに関連付けられているＡＰＮが設定されている。
【００５１】
次に、ＭＭＥ６０は、ＨＳＳ９０において管理されているＵＥ４０の加入者データを取得するために、加入者データ要求メッセージをＨＳＳ９０へ送信する（Ｓ４３）。加入者データ要求メッセージには、ＵＥ４０の識別情報が設定されている。ＵＥ４０の識別情報は、例えば、ＩＭＳＩ（International Mobile Subscriber Identity）であってもよい。
【００５２】
次に、ＨＳＳ９０は、ＵＥ４０が指定することができる全てのＡＰＮに関する情報を含む加入者データが設定された加入者データ応答メッセージをＭＭＥ６０へ送信する（Ｓ４４）。ＨＳＳ９０は、加入者データ応答メッセージにおいて通知するＡＰＮが予め定められている場合、ＵＥ４０が指定することができる全てのＡＰＮのうち、予め定められているＡＰＮに関する情報のみを含む加入者データを加入者データ応答メッセージに設定する。予め定められているＡＰＮは、複数のＡＰＮであってもよい。予め定められているＡＰＮは、例えば、ＮＡＳメッセージの送信頻度が閾値よりも高いＡＰＮ等の基準に従って定められてもよい。つまり、予め定められているＡＰＮは、処理負荷に与える影響が大きいＮＡＳであってもよい。
【００５３】
次に、ＭＭＥ６０は、加入者データに含まれるすべてのＡＰＮを設定したＲＥＪＥＣＴメッセージをＵＥ４０へ送信する（Ｓ４５）。もしくは、ＭＭＥ６０は、全てのＡＰＮのうち、予め定められた基準に従い、基準を満たすＡＰＮのみをＲＥＪＥＣＴメッセージに設定してもよい。予め定められた基準は、例えば、ＮＡＳメッセージの送信頻度が閾値よりも高いＡＰＮ等の基準であってもよい。
【００５４】
次に、ＵＥ４０は、ＲＥＪＥＣＴメッセージに設定された全てのＡＰＮに関するＮＡＳ要求メッセージの送信を停止する（Ｓ４６）。言い換えると、ＵＥ４０は、ＲＥＪＥＣＴメッセージに設定されたＡＰＮを指定したＮＡＳ要求メッセージの送信を停止する。
【００５５】
ＲＥＪＥＣＴメッセージに、ＵＥが使用することができる全てのＡＰＮが設定された場合、ＵＥ４０は、全てのＮＡＳ要求メッセージの送信を停止する。
【００５６】
次に、ＭＭＥ６０は、輻輳状態から復旧したことを検出する（Ｓ４７）。次に、ＭＭＥ６０は、輻輳状態から復旧したことを示すＲＥＣＯＶＥＲＹメッセージをＵＥ４０へ送信する（Ｓ４８）。ＭＭＥ６０は、ＲＥＪＥＣＴメッセージに設定した全てのＡＰＮをＲＥＣＯＶＥＲＹメッセージに設定してもよく、ＲＥＪＥＣＴメッセージに設定された複数のＡＰＮのうち一部のＡＰＮをＲＥＣＯＶＥＲＹメッセージに設定してもよい。
【００５７】
ＵＥ４０は、ＲＥＣＯＶＥＲＹメッセージを受信した後、ＲＥＣＯＶＥＲＹメッセージに設定されているＡＰＮを指定したＮＡＳ要求メッセージを送信することができる。
【００５８】
以上説明したように、本発明の実施の形態２にかかるＭＭＥ６０は、ＲＥＪＥＣＴメッセージに、ＵＥ４０が使用することができる複数のＡＰＮを設定することができる。ＵＥ４０は、ＲＥＪＥＣＴメッセージに設定された複数のＡＰＮに関するＮＡＳ要求メッセージの送信を停止する。これより、ＭＭＥ６０は、輻輳状態が継続している間に、ＵＥ４０から送信されるＮＡＳ要求メッセージの数を減少させることができるため、輻輳状態がさらに悪化することを防止することができる。
【００５９】
また、ＭＭＥ６０は、ＲＥＪＥＣＴメッセージに、ＵＥ４０が使用することができる全てのＡＰＮを設定することによって、ＵＥ４０におけるＮＡＳ要求メッセージの送信を停止させることができる。これより、ＭＭＥ６０は、ＵＥ４０が使用することができる全てのＡＰＮのうち一部のＡＰＮを設定したＲＥＪＥＣＴメッセージをＵＥ４０へ送信する場合と比較して、輻輳状態からの復旧時間を速くすることができる。
【００６０】
また、ＭＭＥ６０は、輻輳状態からの復旧を示すＲＥＣＯＶＥＲＹメッセージをＵＥ４０へ送信することができる。ＵＥ４０が、ＲＥＣＯＶＥＲＹメッセージを受信した後に、ＮＡＳ要求メッセージの送信を開始することによって、ＭＭＥ６０は、輻輳状態が継続している間に、ＲＥＪＥＣＴメッセージを送信したＵＥに関するＮＡＳ要求メッセージの受信を回避することができる。言い換えると、ＭＭＥ６０は、ＲＥＪＥＣＴメッセージに設定したバックオフタイマが満了した場合であっても、輻輳状態が継続している場合には、ＵＥ４０からＮＡＳ要求メッセージを受信することを回避することができる。
【００６１】
（実施の形態３）
続いて、図８を用いて本発明の実施の形態３にかかるＭＭＥ６０におけるＰＤＮコネクション解放処理の流れについて説明する。ここで、ＭＭＥ６０は、図１のコアノード１０と同様の構成を有する。
【００６２】
ＰＤＮコネクションは、ＵＥ４０とＰＧＷ８０との間において、１つあるいは複数の通信ベアラから構成される。ＰＤＮコネクションは、ＵＥ４０に提供されるサービス毎に確立される。言い換えると、ＰＤＮコネクションは、ＡＰＮ毎に確立される。ＵＥ４０に関するユーザプレーンデータは、ＵＥ４０とＰＧＷ８０との間において確立されたＰＤＮコネクションを用いて伝送される。ＰＤＮコネクションは、ＵＥ４０のＡｔｔａｃｈ時、もしくは、Service Requestメッセージ等のＮＡＳ要求メッセージに伴う処理がコアネットワーク内において実行されることによって確立される。
【００６３】
図８においては、ＵＥ４０に関する少なくとも１つのＰＤＮコネクションが確立されていることを前提とする。はじめに、輻輳状態検出部１１は、ＰＧＷ８０から送信される輻輳状態通知メッセージを受信する（Ｓ５１）。輻輳状態検出部１１は、輻輳状態通知メッセージを受信することによって、ＰＧＷ８０において輻輳が発生していることを検出する。
【００６４】
ＰＧＷ８０において発生する輻輳は、ＡＰＮベースの輻輳であり、例えば、ＡＰＮベースのセッション管理輻輳及びＡＰＮベースのモビリティ管理輻輳であってもよい。例えば、ＡＰＮベースのセッション管理輻輳は、ＰＧＷ８０において特定のＡＰＮを指定した大量のデータを受信することによって、データ伝送処理を実行することができない状態である。また、ＡＰＮベースのモビリティ管理輻輳は、コアネットワークにおいてＵＥからのＡｔｔａｃｈを受け付けられない状態である。
【００６５】
ステップＳ５１においては、ＡＰＮベースのセッション管理輻輳が発生していることによって、ＰＧＷ８０が、ＭＭＥ６０へ輻輳状態通知メッセージを送信する。また、ＰＧＷ８０は、セッション管理輻輳が発生しているＡＰＮを指定した通信を行っているＵＥの識別情報を輻輳状態通知メッセージに設定する。ＵＥの識別情報は、例えば、ＩＭＳＩであってもよい。
【００６６】
次に、通信部１３は、ＨＳＳ９０から輻輳状態通知メッセージに設定されたＵＥに関する加入者データを取得する（Ｓ５２）。例えば、通信部１３は、輻輳状態通知メッセージに設定されたＵＥのＩＭＳＩを指定したメッセージをＨＳＳ９０へ送信することによって、加入者データを取得する。ＨＳＳ９０から取得する加入者データには、ＵＥが指定することが可能な複数のＡＰＮが含まれている。
【００６７】
次に、通信部１３は、加入者データに含まれる複数のＡＰＮを設定したNAS Deactivation EPS Bearer Context Requestメッセージを、輻輳状態通知メッセージに設定されたＵＥへ送信する（Ｓ５３）。もしくは、通信部１３は、ＡＰＮ毎にNAS Deactivation EPS Bearer Context RequestメッセージをＵＥへ送信してもよい。通信部１３が複数のＡＰＮに関するNAS Deactivation EPS Bearer Context RequestメッセージをＵＥへ送信することによって、ＭＭＥ６０は、ＵＥから、複数のＡＰＮを指定したＮＡＳ要求メッセージが送信されることを回避することができる。言い換えると、通信部１３は、NAS Deactivation EPS Bearer Context Requestメッセージに設定したＡＰＮを指定したＮＡＳ要求メッセージの送信を停止させるために、NAS Deactivation EPS Bearer Context RequestメッセージをＵＥへ送信する。
【００６８】
続いて、図９を用いて本発明の実施の形態３にかかるＰＧＷ８０が輻輳状態から復旧した場合の処理の流れについて説明する。はじめに、輻輳状態検出部１１は、ＰＧＷ８０から輻輳状態から復旧したことを示す輻輳状態復旧通知メッセージを受信する（Ｓ６１）。
【００６９】
次に、通信部１３は、NAS Deactivation EPS Bearer Context Requestメッセージに設定した複数のＡＰＮを設定したNAS Activation EPS Bearer Context RequestメッセージをＵＥへ送信する（Ｓ６２）。通信部１３は、NAS Deactivation EPS Bearer Context Requestメッセージを送信したＵＥに、NAS Activation EPS Bearer Context Requestメッセージを送信する。
【００７０】
続いて、図１０を用いて本発明の実施の形態３にかかるＵＥ４０、ＭＭＥ６０、ＨＳＳ９０、及びＰＧＷ８０における輻輳時の処理の流れについて説明する。図１０においては、ＵＥ４０とＰＧＷ８０との間においてＰＤＮコネクションが確立している状態であることを前提とする。
【００７１】
はじめに、ＰＧＷ８０は、輻輳状態を検出する（Ｓ７１）。次に、ＰＧＷ８０は、ＭＭＥ６０へ輻輳状態通知メッセージを送信する（Ｓ７２）。輻輳状態通知メッセージには、輻輳の要因となるＡＰＮを指定した通信を行っているＵＥのＩＭＳＩが設定されている。図１０においては、輻輳状態通知メッセージに、ＵＥ４０のＩＭＳＩが設定されているとする。
【００７２】
ステップＳ７３、ステップＳ７４、及びステップＳ７６に関する処理は、図７のステップＳ４３、ステップＳ４４、及びステップＳ４６と同様であるため詳細な説明を省略する。また、ステップＳ７５に関する処理は、図７のステップＳ４５におけるＲＥＪＥＣＴメッセージをNAS Deactivation EPS Bearer Context Requestメッセージに置き換えた処理であり、詳細な説明を省略する。
【００７３】
次に、ＭＭＥ６０は、ＰＧＷ８０から、輻輳状態から復旧したことを示す輻輳状態復旧通知メッセージを受信する（Ｓ７７）。次に、ＭＭＥ６０は、ＮＡＳ要求メッセージの送信を許可するNAS Activation EPS Bearer Context RequestメッセージをＵＥ４０へ送信する（Ｓ７８）。ＭＭＥ６０は、NAS Deactivation EPS Bearer Context Requestメッセージに設定した全てのＡＰＮをNAS Activation EPS Bearer Context Requestメッセージに設定してもよく、NAS Deactivation EPS Bearer Context Requestメッセージに設定された複数のＡＰＮのうち一部のＡＰＮをNAS Activation EPS Bearer Context Requestメッセージに設定してもよい。
【００７４】
以上説明したように、本発明の実施の形態３にかかるＭＭＥ６０は、ＰＧＷ８０において輻輳状態が発生した場合にも、ＵＥ４０へ、複数のＡＰＮを設定したNAS Deactivation EPS Bearer Context Requestメッセージを送信することによって、ＵＥ４０から送信されるＮＡＳ要求メッセージの数を減少させることができる。これにより、ＰＧＷ８０における輻輳状態がさらに悪化することを防止することができる。
【００７５】
また、ＭＭＥ６０は、ＰＧＷ８０が輻輳状態から復旧した後に、NAS Activation EPS Bearer Context RequestメッセージをＵＥ４０へ送信することができる。ＵＥ４０が、NAS Activation EPS Bearer Context Requestメッセージを受信した後に、ＮＡＳ要求メッセージの送信を開始することによって、ＭＭＥ６０は、ＰＧＷ８０において輻輳状態が継続している間のＮＡＳ要求メッセージの受信を回避することができる。言い換えると、ＭＭＥ６０は、NAS Deactivation EPS Bearer Context Requestメッセージを設定したバックオフタイマが満了した場合であっても、輻輳状態が継続している場合には、ＵＥ４０からＮＡＳ要求メッセージを受信することを回避することができる。
【００７６】
続いて以下では、上述の複数の実施形態で説明された、コアノード１０及びＵＥ４０の構成例について説明する。
【００７７】
図１１は、ＵＥ４０の構成例を示すブロック図である。Radio Frequency（RF）トランシーバ１１０１は、ｅＮＢ５０と通信するためにアナログRF信号処理を行う。RFトランシーバ１１０１により行われるアナログRF信号処理は、周波数アップコンバージョン、周波数ダウンコンバージョン、及び増幅を含む。RFトランシーバ１１０１は、アンテナ１１０２及びベースバンドプロセッサ１１０３と結合される。すなわち、RFトランシーバ１１０１は、変調シンボルデータ（又はOFDMシンボルデータ）をベースバンドプロセッサ１１０３から受信し、送信RF信号を生成し、送信RF信号をアンテナ１１０２に供給する。また、RFトランシーバ１１０１は、アンテナ１１０２によって受信された受信ＲＦ信号に基づいてベースバンド受信信号を生成し、これをベースバンドプロセッサ１１０３に供給する。
【００７８】
ベースバンドプロセッサ１１０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００７９】
例えば、LTEおよびLTE-Advancedの場合、ベースバンドプロセッサ１１０３によるデジタルベースバンド信号処理は、Packet Data Convergence Protocol（PDCP）レイヤ、Radio Link Control（RLC）レイヤ、MACレイヤ、およびPHYレイヤの信号処理を含んでもよい。また、ベースバンドプロセッサ１１０３によるコントロールプレーン処理は、Non-Access Stratum（NAS）プロトコル、RRCプロトコル、及びMAC CEの処理を含んでもよい。
【００８０】
ベースバンドプロセッサ１１０３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ１１０４と共通化されてもよい。
【００８１】
アプリケーションプロセッサ１１０４は、CPU、MPU、マイクロプロセッサ、又はプロセッサコアとも呼ばれる。アプリケーションプロセッサ１１０４は、複数のプロセッサ（複数のプロセッサコア）を含んでもよい。アプリケーションプロセッサ１１０４は、メモリ１１０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、ＵＥ４０の各種機能を実現する。
【００８２】
いくつかの実装において、図１１に破線（１１０５）で示されているように、ベースバンドプロセッサ１１０３及びアプリケーションプロセッサ１１０４は、１つのチップ上に集積されてもよい。言い換えると、ベースバンドプロセッサ１１０３及びアプリケーションプロセッサ１１０４は、１つのSystem on Chip（SoC）デバイス１１０５として実装されてもよい。SoCデバイスは、システムLarge Scale Integration（LSI）またはチップセットと呼ばれることもある。
【００８３】
メモリ１１０６は、揮発性メモリ若しくは不揮発性メモリ又はこれらの組合せである。メモリ１１０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ１１０６は、ベースバンドプロセッサ１１０３、アプリケーションプロセッサ１１０４、及びSoC１１０５からアクセス可能な外部メモリデバイスを含んでもよい。メモリ１１０６は、ベースバンドプロセッサ１１０３内、アプリケーションプロセッサ１１０４内、又はSoC１１０５内に集積された内蔵メモリデバイスを含んでもよい。さらに、メモリ１１０６は、Universal Integrated Circuit Card（UICC）内のメモリを含んでもよい。
【００８４】
メモリ１１０６は、上述の複数の実施形態で説明されたＵＥ４０による処理を行うための命令群およびデータを含むソフトウェアモジュール（コンピュータプログラム）を格納してもよい。いくつかの実装において、ベースバンドプロセッサ１１０３又はアプリケーションプロセッサ１１０４は、当該ソフトウェアモジュールをメモリ１１０６から読み出して実行することで、上述の実施形態で説明されたＵＥ４０の処理を行うよう構成されてもよい。
【００８５】
図１２は、コアノード１０の構成例を示すブロック図である。図１２を参照すると、コアノード１０は、ネットワークインターフェース１２０１、プロセッサ１２０２、及びメモリ１２０３を含む。ネットワークインターフェース１２０１は、ネットワークノード（e.g., eNB、MME、SGW、P-GW、）と通信するために使用される。ネットワークインターフェース１２０１は、例えば、IEEE 802.3 seriesに準拠したネットワークインタフェースカード（NIC）を含んでもよい。
【００８６】
プロセッサ１２０２は、メモリ１２０３からソフトウェア（コンピュータプログラム）を読み出して実行することで、上述の実施形態においてシーケンス図及びフローチャートを用いて説明されたコアノード１０の処理を行う。プロセッサ１２０２は、例えば、マイクロプロセッサ、MPU、又はCPUであってもよい。プロセッサ１２０２は、複数のプロセッサを含んでもよい。
【００８７】
メモリ１２０３は、揮発性メモリ及び不揮発性メモリの組み合わせによって構成される。メモリ１２０３は、プロセッサ１２０２から離れて配置されたストレージを含んでもよい。この場合、プロセッサ１２０２は、図示されていないI/Oインタフェースを介してメモリ１２０３にアクセスしてもよい。
【００８８】
図１２の例では、メモリ１２０３は、ソフトウェアモジュール群を格納するために使用される。プロセッサ１２０２は、これらのソフトウェアモジュール群をメモリ１２０３から読み出して実行することで、上述の実施形態において説明されたコアノード１０の処理を行うことができる。
【００８９】
図１１及び図１２を用いて説明したように、上述の実施形態におけるＵＥ４０及びコアノード１０が有するプロセッサの各々は、図面を用いて説明されたアルゴリズムをコンピュータに行わせるための命令群を含む１又は複数のプログラムを実行する。
【００９０】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９１】
なお、本発明は上記実施の形態に限られたものではなく、趣旨を逸脱しない範囲で適宜変更することが可能である。
【００９２】
以上、実施の形態を参照して本願発明を説明したが、本願発明は上記によって限定されるものではない。本願発明の構成や詳細には、発明のスコープ内で当業者が理解し得る様々な変更をすることができる。
【００９３】
この出願は、２０１６年３月３日に出願された日本出願特願２０１６−０４０９８６を基礎とする優先権を主張し、その開示の全てをここに取り込む。
【００９４】
上記の実施形態の一部又は全部は、以下の付記のようにも記載されうるが、以下には限られない。
（付記１）
自装置の輻輳状態を検出する輻輳状態検出部と、
無線端末からＡＰＮを指定したＮＡＳ要求メッセージを受信する通信部と、
自装置の輻輳状態が検出されている間、前記ＮＡＳ要求メッセージに関する処理を実行しないこと決定する制御部と、を備え、
前記通信部は、
前記制御部において前記ＮＡＳ要求メッセージに関する処理を実行しないと決定された場合、前記無線端末が指定可能な複数のＡＰＮを含む拒絶メッセージを前記無線端末へ送信する、コアノード。
（付記２）
前記通信部は、
前記無線端末の識別情報を用いて、前記無線端末の加入者情報を管理するＨＳＳから前記無線端末が指定可能なすべてのＡＰＮに関する情報を取得する、付記１に記載のコアノード。
（付記３）
前記通信部は、
前記無線端末が指定可能なすべてのＡＰＮを前記拒絶メッセージに設定する、付記１または２に記載のコアノード。
（付記４）
前記通信部は、
前記輻輳状態検出部において自装置が輻輳状態から復旧したことが検出された場合、前記無線端末がＮＡＳ要求メッセージを送信することを許可することを示す復旧メッセージを前記無線端末へ送信する、付記１乃至３のいずれか１項に記載のコアノード。
（付記５）
前記通信部は、
前記無線端末が指定することを許可する少なくとも１つのＡＰＮを前記復旧メッセージに設定する、付記４に記載のコアノード。
（付記６）
ゲートウェイの輻輳状態を検出する輻輳状態検出部と、
前記ゲートウェイの輻輳状態が検出されている間、前記ゲートウェイにおいて指定された無線端末に関するＮＡＳ要求メッセージに関する処理を実行しないことを決定する制御部と、
前記制御部において前記無線端末に関する前記ＮＡＳ要求メッセージに関する処理を実行しないと決定された場合、前記無線端末が指定可能な複数のＡＰＮを含む拒絶メッセージを前記無線端末へ送信する通信部と、を備えるコアノード。
（付記７）
前記通信部は、
前記ゲートウェイにおいて指定された無線端末の識別情報を用いて、前記無線端末の加入者情報を管理するＨＳＳから前記無線端末が指定可能なすべてのＡＰＮに関する情報を取得する、付記６に記載のコアノード。
（付記８）
前記通信部は、
前記無線端末が指定可能なすべてのＡＰＮを前記拒絶メッセージに設定する、付記６または７に記載のコアノード。
（付記９）
前記通信部は、
前記輻輳状態検出部において前記ゲートウェイが輻輳状態から復旧したことが検出された場合、前記無線端末がＮＡＳ要求メッセージを送信することを許可することを示す復旧メッセージを前記無線端末へ送信する、付記６乃至８のいずれか１項に記載のコアノード。
（付記１０）
前記通信部は、
前記無線端末が指定することを許可する少なくとも１つのＡＰＮを前記復旧メッセージに設定する、付記９に記載のコアノード。
（付記１１）
ＮＡＳ要求メッセージに関する処理を拒絶することを示す拒絶メッセージを受信する通信部と、
前記拒絶メッセージには自装置において指定可能な複数のＡＰＮが含まれ、前記拒絶メッセージを受信すると、コアノードから送信された特定のメッセージを受信するまで、前記拒絶メッセージに設定された複数のＡＰＮを指定したＮＡＳ要求メッセージの送信を停止する、無線端末。
（付記１２）
前記拒絶メッセージは、
前記コアノードへ送信したＮＡＳ要求メッセージに関する処理を拒絶することを示し、前記コアノードへ送信したＮＡＳ要求メッセージにおいて指定したＡＰＮを含む複数のＡＰＮが設定される、付記１１に記載の無線端末。
（付記１３）
自装置の輻輳状態を検出し、
無線端末からＡＰＮを指定したＮＡＳ要求メッセージを受信し、
自装置の輻輳状態が検出されている間、前記ＮＡＳ要求メッセージに関する処理を実行しないこと決定し、
前記ＮＡＳ要求メッセージに関する処理を実行しないと決定された場合、前記無線端末が指定可能な複数のＡＰＮを含む拒絶メッセージを前記無線端末へ送信する、通信方法。
（付記１４）
ゲートウェイの輻輳状態を検出し、
前記ゲートウェイの輻輳状態が検出されている間、前記ゲートウェイにおいて指定された無線端末に関するＮＡＳ要求メッセージに関する処理を実行しないことを決定し、
前記無線端末に関する前記ＮＡＳ要求メッセージに関する処理を実行しないと決定された場合、前記無線端末が指定可能な複数のＡＰＮを含む拒絶メッセージを前記無線端末へ送信する、通信方法。
（付記１５）
自装置の輻輳状態を検出し、
無線端末からＡＰＮを指定したＮＡＳ要求メッセージを受信し、
自装置の輻輳状態が検出されている間、前記ＮＡＳ要求メッセージに関する処理を実行しないこと決定し、
前記ＮＡＳ要求メッセージに関する処理を実行しないと決定された場合、前記無線端末が指定可能な複数のＡＰＮを含む拒絶メッセージを前記無線端末へ送信することをコンピュータに実行させるプログラム。
（付記１６）
ゲートウェイの輻輳状態を検出し、
前記ゲートウェイの輻輳状態が検出されている間、前記ゲートウェイにおいて指定された無線端末に関するＮＡＳ要求メッセージに関する処理を実行しないことを決定し、
前記無線端末に関する前記ＮＡＳ要求メッセージに関する処理を実行しないと決定された場合、前記無線端末が指定可能な複数のＡＰＮを含む拒絶メッセージを前記無線端末へ送信することをコンピュータに実行させるプログラム。
【符号の説明】
【００９５】
１０  コアノード
１１  輻輳状態検出部
１２  制御部
１３  通信部
２０  無線端末
３０  ネットワーク
４０  ＵＥ
４１  制御部
４２  通信部
５０  ｅＮＢ
６０  ＭＭＥ
７０  ＳＧＷ
８０  ＰＧＷ
９０  ＨＳＳ
１００  外部ネットワーク
【図１】
2017149574.tif 000003
【図２】
2017149574.tif 000004
【図３】
2017149574.tif 000005
【図４】
2017149574.tif 000006
【図５】
2017149574.tif 000007
【図６】
2017149574.tif 000008
【図７】
2017149574.tif 000009
【図８】
2017149574.tif 000010
【図９】
2017149574.tif 000011
【図１０】
2017149574.tif 000012
【図１１】
2017149574.tif 000013
【図１２】
2017149574.tif 000014
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
自装置の輻輳状態を検出する輻輳状態検出手段と、
無線端末からＡＰＮ（Access Point Name）を指定したＮＡＳ（Non-Access Stratum）要求メッセージを受信する通信手段と、
自装置の輻輳状態が検出されている間、前記ＮＡＳ要求メッセージに関する処理を実行しないこと決定する制御手段と、を備え、
前記通信手段は、
前記制御手段において前記ＮＡＳ要求メッセージに関する処理を実行しないと決定された場合、前記無線端末が指定可能な複数のＡＰＮを含む拒絶メッセージを前記無線端末へ送信する、コアノード。
【請求項２】
前記通信手段は、
前記無線端末の識別情報を用いて、前記無線端末の加入者情報を管理するＨＳＳ（Home Subscriber Server）から前記無線端末が指定可能なすべてのＡＰＮに関する情報を取得する、請求項１に記載のコアノード。
【請求項３】
前記通信手段は、
前記無線端末が指定可能なすべてのＡＰＮを前記拒絶メッセージに設定する、請求項１または２に記載のコアノード。
【請求項４】
前記通信手段は、
前記輻輳状態検出手段において自装置が輻輳状態から復旧したことが検出された場合、前記無線端末がＮＡＳ要求メッセージを送信することを許可することを示す復旧メッセージを前記無線端末へ送信する、請求項１乃至３のいずれか１項に記載のコアノード。
【請求項５】
前記通信手段は、
前記無線端末が指定することを許可する少なくとも１つのＡＰＮを前記復旧メッセージに設定する、請求項４に記載のコアノード。
【請求項６】
ゲートウェイの輻輳状態を検出する輻輳状態検出手段と、
前記ゲートウェイの輻輳状態が検出されている間、前記ゲートウェイにおいて指定された無線端末に関するＮＡＳ要求メッセージに関する処理を実行しないことを決定する制御手段と、
前記制御手段において前記無線端末に関する前記ＮＡＳ要求メッセージに関する処理を実行しないと決定された場合、前記無線端末が指定可能な複数のＡＰＮを含む拒絶メッセージを前記無線端末へ送信する通信手段と、を備えるコアノード。
【請求項７】
前記通信手段は、
前記ゲートウェイにおいて指定された無線端末の識別情報を用いて、前記無線端末の加入者情報を管理するＨＳＳから前記無線端末が指定可能なすべてのＡＰＮに関する情報を取得する、請求項６に記載のコアノード。
【請求項８】
前記通信手段は、
前記輻輳状態検出手段において前記ゲートウェイが輻輳状態から復旧したことが検出された場合、前記無線端末がＮＡＳ要求メッセージを送信することを許可することを示す復旧メッセージを前記無線端末へ送信する、請求項６又は７に記載のコアノード。
【請求項９】
前記通信手段は、
前記無線端末が指定することを許可する少なくとも１つのＡＰＮを前記復旧メッセージに設定する、請求項８に記載のコアノード。
【請求項１０】
自装置の輻輳状態を検出し、
無線端末からＡＰＮを指定したＮＡＳ要求メッセージを受信し、
自装置の輻輳状態が検出されている間、前記ＮＡＳ要求メッセージに関する処理を実行しないこと決定し、
前記ＮＡＳ要求メッセージに関する処理を実行しないと決定された場合、前記無線端末が指定可能な複数のＡＰＮを含む拒絶メッセージを前記無線端末へ送信する、通信方法。
【国際調査報告】
2017149574.tif 000015
2017149574.tif 000016
2017149574.tif 000017
2017149574.tif 000018